【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
選択された一つまたは複数の圧縮情報オブジェクトおよび一つまたは複数のアプリケーションツールを獲得する作業領域管理処理システムにおけるカスタマイズシステムと、
コンピューティングシステムにおいて、前記選択された一つまたは複数の圧縮情報オブジェクトおよび一つまたは複数のアプリケーションツールが読み込まれたデフォルトの対話型作業領域に基づいて、前記一つまたは複数のアプリケーションツールのうちの少なくとも一つが、カスタマイズされた対話型作業領域内からの前記一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の該カスタマイズされた対話型作業領域を提供する前記作業領域管理処理システムにおける作業領域処理システムと
を含む、対話型情報作業領域提供システム。
【請求項２】
カスタマイズシステムが少なくとも一つの情報ストリームを獲得し、作業領域処理システムがさらに、獲得された該少なくとも一つの情報ストリームに基づいて、カスタマイズされた対話型作業領域を提供する、請求項1記載のシステム。
【請求項３】
カスタマイズシステムが少なくとも一つのリアルタイム通信システムの選択を獲得し、作業領域処理システムがさらに、獲得された該少なくとも一つのリアルタイム通信システムの選択に基づいて、カスタマイズされた対話型作業領域を提供する、請求項1記載のシステム。
【請求項４】
カスタマイズシステムが、選択してデフォルトの対話型作業領域に追加するための一つまたは複数の圧縮情報オブジェクトを求める検索の結果を獲得する、請求項1記載のシステム。
【請求項５】
作業領域処理システムが、一つまたは複数の圧縮情報オブジェクトのうちの少なくとも一つを生成し、コンピューティングシステムが選択してデフォルトの対話型作業領域に追加するために、生成された前記一つまたは複数の圧縮情報オブジェクトのうちの該少なくとも一つを提供する、請求項1記載のシステム。
【請求項６】
作業領域処理システムが、一つまたは複数の圧縮情報オブジェクトのうちの一つに対する複数の動作のうちの一つの選択を獲得し、実行し、カスタマイズされた対話型作業領域において、該一つまたは複数の圧縮情報オブジェクトのうちの該一つに対する該複数の動作のうちの獲得された該一つの該実行の結果を提供する、請求項1記載のシステム。
【請求項７】
作業領域処理システムが、一つまたは複数の圧縮情報オブジェクトのうちの一つに対する複数の動作のうちの獲得された一つを実行し、前記一つまたは複数の圧縮情報オブジェクトのうちの選択された一つに対するアプリケーションツールの適用の実行をさらに含み、カスタマイズされた対話型作業領域において、前記一つまたは複数の圧縮情報オブジェクトのうちの該選択された一つに対する該アプリケーションツールの該適用の該実行の結果を提供する、請求項6記載のシステム。
【請求項８】
一つまたは複数の圧縮情報オブジェクトが、金融情報、イベント情報、ニュース情報、製品情報および個人情報のうちの少なくとも一つを含む、請求項1記載のシステム。
【請求項９】
作業領域処理システムが、提供されたユーザプロフィール情報に基づいて、カスタマイズされた対話型作業領域と関連付けられたユーザプロフィールを生成し、記憶し、一つまたは複数の訓練の完了を監視し、該一つまたは複数の訓練の該監視された完了に基づいて習得レベル評価を決定し、ユーザプロフィールの記憶に該決定された習得レベル評価を記憶し、少なくとも前記ユーザプロフィールの記憶内の該記憶された習得レベル評価が、カスタマイズされた対話型作業領域における表示のために提供される、請求項1記載のシステム。
【請求項１０】
作業領域処理システムが、カスタマイズされた対話型作業領域内の圧縮情報オブジェクトのうちの一つまたは複数を利用して一つまたは複数の投資取引を完了する、請求項1記載のシステム。
【手続補正２】
【補正対象書類名】明細書
【補正対象項目名】００１０
【補正方法】変更
【補正の内容】
【００１０】
本発明は、ビデオゲームの比喩によってモデル化される、情報オブジェクトのための枠組みおよび入れ物を提供するカスタマイズされた対話型作業領域において情報と対話し、情報を操作するためのより有効な方法、コンピュータ可読媒体およびシステムを提供することを含むいくつかの利点を提供する。例えば、本発明を用いれば、株式および投資信託に関する詳細な情報などの金融情報を、ビデオゲームの比喩によってモデル化されるただ一つの統合システム内から、ずっと簡単に検索し、理解し、操作し、共有し、分析して、効率および使い勝手を高めることができる。加えて、本発明はこの情報との対話を、グラフィカルなアイコンおよび視覚標識を提供する一種のグラフィカル・ユーザ・インターフェースにより、ずっと図式的、直観的なものとして提供する。その結果、本発明を用いれば個人は、必要とする情報を簡単に獲得し、情報と対話することができるのみならず、本発明がこの情報を非常に簡単に表現し、個人に提供するために、そうしようとする動機を与えられる。さらに本発明は、情報オブジェクトに対して動作を実行するツール、ユーザ指図の制御、全画面グラフィックス、ピア・コンピューティング・システムとの即座の、またはリアルタイムの通信、情報オーバーレイ、即座の、またはリアルタイムのフィードバック、ユーザプロフィール、メトリックに照らして測定された運用成績結果の表示、および現代的で、ユニークで、使いやすいグラフィカル・ユーザ・インターフェース（GUI）のうちの一つまたは複数を含み得る情報と対話するための方法も提供する。
[本発明1001]
対話型情報作業領域を提供するための方法であって、以下の工程を含む方法:
作業領域管理処理システムにおいて、選択された一つまたは複数の圧縮情報オブジェクトおよび一つまたは複数のアプリケーションツールを獲得する工程;および
コンピューティングシステムにおいて、前記選択された一つまたは複数の圧縮情報オブジェクトおよび一つまたは複数のアプリケーションツールが読み込まれたデフォルトのカスタマイズ可能な対話型作業領域に基づいて、前記作業領域管理処理システムから、前記一つまたは複数のアプリケーションツールのうちの少なくとも一つが、カスタマイズされた対話型作業領域内からの前記一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の非ビデオゲームベースの情報のための該カスタマイズされた対話型作業領域を提供する工程。
[本発明1002]
獲得する工程が、作業領域管理処理システムにおいて少なくとも一つの情報ストリームを獲得する工程をさらに含み、提供する工程が、獲得された該少なくとも一つの情報ストリームにさらに基づいて、カスタマイズされた対話型作業領域を提供する工程をさらに含む、本発明1001の方法。
[本発明1003]
作業領域管理処理システムにおいて少なくとも一つの情報ストリームを獲得する工程が、コンピューティングシステムと関連付けられたユーザプロフィールの記憶に基づいて該少なくとも一つの情報ストリームを獲得する工程をさらに含む、本発明1002の方法。
[本発明1004]
獲得する工程が、作業領域管理処理システムにおいて、少なくとも一つのリアルタイム通信システムの選択を獲得する工程をさらに含み、提供する工程が、獲得された該少なくとも一つのリアルタイム通信システムの選択にさらに基づいて、カスタマイズされた対話型作業領域を提供する工程をさらに含む、本発明1001の方法。
[本発明1005]
作業領域管理処理システムにおいて、選択してデフォルトの対話型作業領域に追加するための一つまたは複数の圧縮情報オブジェクトを求める検索の結果を獲得する工程をさらに含む、本発明1001の方法。
[本発明1006]
一つまたは複数の圧縮情報オブジェクトを求める検索が、一つまたは複数の情報オブジェクトカテゴリのうちの少なくとも一つの選択に基づくものである、本発明1005の方法。
[本発明1007]
作業領域管理処理システムを用いて、一つまたは複数の圧縮情報オブジェクトのうちの少なくとも一つを生成する工程;および
コンピューティングシステムが選択してデフォルトの対話型作業領域に追加するために、生成された前記一つまたは複数の圧縮情報オブジェクトのうちの前記少なくとも一つを提供する工程
をさらに含む、本発明1001の方法。
[本発明1008]
作業領域管理処理システムにおいて、一つまたは複数の圧縮情報オブジェクトのうちの一つに対する複数の動作のうちの一つを獲得し、実行する工程;および
カスタマイズされた対話型作業領域において、前記一つまたは複数の圧縮情報オブジェクトのうちの前記一つに対する前記複数の動作のうちの獲得された前記一つを実行する前記工程の結果を提供する工程
をさらに含む、本発明1001の方法。
[本発明1009]
複数の動作が、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動し、ドラッグすること、および、前記カスタマイズされた対話型作業領域内の前記一つまたは複数の圧縮情報オブジェクトのうちの前記一つからの一つまたは複数のリストのうちの少なくとも一つを検査することを少なくとも含む、本発明1008の方法。
[本発明1010]
作業領域管理処理システムにおいて、複数の選択された動作のうちの獲得された一つを実行する工程が、一つまたは複数の圧縮情報オブジェクトのうちの選択された一つにアプリケーションツールを適用する工程、および、カスタマイズされた対話型作業領域において該アプリケーションツールを適用する該工程の結果を提供する工程をさらに含む、本発明1008の方法。
[本発明1011]
アプリケーションツールを適用する工程の結果を提供する工程が、カスタマイズされた対話型作業領域において結果を情報オーバーレイとして提供する工程をさらに含む、本発明1010の方法。
[本発明1012]
一つまたは複数の圧縮情報オブジェクトのうちの選択された一つにアプリケーションツールを適用する工程が、
作業領域管理処理システムにおいて、前記一つまたは複数の圧縮情報オブジェクトのうちの少なくとも一つの少なくとも一つの局面の成績を決定する工程;および
コンピューティングシステムにおいて、カスタマイズされた対話型作業領域内の前記一つまたは複数の圧縮情報オブジェクトのうちの前記少なくとも一つに前記決定された成績を表示する工程
をさらに含む、本発明1010の方法。
[本発明1013]
一つまたは複数の圧縮情報オブジェクトのうちの選択された一つにアプリケーションツールを適用する工程が、
作業領域管理処理システムにおいて、スナップショットビューへと拡大されているカスタマイズされた対話型作業領域内の一つまたは複数の圧縮情報オブジェクトのうちの少なくとも一つの少なくとも一つの局面の成績を決定する工程;および
コンピューティングシステムにおいて、カスタマイズされた対話型作業領域内の前記スナップショットビューに、前記一つまたは複数の圧縮情報オブジェクトのうちの前記少なくとも一つの前記決定された成績を表示する工程
をさらに含む、本発明1010の方法。
[本発明1014]
実行する工程が、選択された一つまたは複数の圧縮情報オブジェクトおよび選択された一つまたは複数のアプリケーションツールと共に、カスタマイズされた対話型作業領域において存続しつつ、通信のためにリアルタイム通信システムを確定する工程を含む、本発明1008の方法。
[本発明1015]
カスタマイズされた対話型作業領域を保存し、記憶する工程をさらに含む、本発明1001の方法。
[本発明1016]
コンピューティングシステムにおいて、一つまたは複数のさらに別のカスタマイズされた対話型作業領域を提供する工程をさらに含む、本発明1015の方法。
[本発明1017]
カスタマイズされた対話型作業領域をデフォルトの対話型作業領域にリセットする工程をさらに含む、本発明1001の方法。
[本発明1018]
一つまたは複数の圧縮情報オブジェクトが、金融情報、イベント情報、ニュース情報、製品情報および個人情報のうちの少なくとも一つを含む、本発明1001の方法。
[本発明1019]
提供されたユーザプロフィール情報に基づき、作業領域管理処理システムにおいて、カスタマイズされた対話型作業領域と関連付けられたユーザプロフィールを生成し、保存し、記憶する工程をさらに含む、本発明1001の方法。
[本発明1020]
カスタマイズされた対話型作業領域に関連する一つまたは複数の動作を監視する工程;および
監視された前記一つまたは複数の動作に基づき、作業領域管理処理システムにおいて、ユーザプロフィールの記憶を補足する工程
をさらに含む、本発明1019の方法。
[本発明1021]
補足されたユーザプロフィールの記憶に基づき、作業領域管理処理システムにおいて、カスタマイズされた対話型作業領域内の一つまたは複数の圧縮情報オブジェクトのうちの少なくとも一つおよび少なくとも一つの他の表示要素を調整する工程をさらに含む、本発明1020の方法。
[本発明1022]
作業領域管理処理システムにおいて一つまたは複数の訓練の完了を監視する工程;
前記一つまたは複数の訓練の前記監視された完了に基づき、前記作業領域管理処理システムにおいて、習得レベル評価を決定する工程;および
カスタマイズされた対話型作業領域において前記決定された習得レベル評価を提供する工程
をさらに含む、本発明1019の方法。
[本発明1023]
カスタマイズされた対話型作業領域内の圧縮情報オブジェクトのうちの一つまたは複数を利用し、作業領域管理処理システムを用いて、一つまたは複数の投資取引の完了を実行する工程をさらに含む、本発明1001の方法。
[本発明1024]
作業領域管理処理システムを用いて、カスタマイズされた対話型作業領域の一つまたは複数の部分をナビゲートして該部分と対話するための前記カスタマイズされた対話型作業領域におけるナビゲーションマップを提供する工程をさらに含む、本発明1001の方法。
[本発明1025]
少なくとも一つのプロセッサによって実行されると該プロセッサに以下を含む工程を実行させる機械実行可能コードを含む、対話型情報作業領域を提供するための命令が記憶されているコンピュータ可読媒体:
作業領域管理処理システムにおいて、選択された一つまたは複数の圧縮情報オブジェクトおよび一つまたは複数のアプリケーションツールを獲得する工程;および
コンピューティングシステムにおいて、前記選択された一つまたは複数の圧縮情報オブジェクトおよび一つまたは複数のアプリケーションツールで更新されたデフォルトの対話型作業領域に基づいて、前記作業領域管理処理システムから、該一つまたは複数のアプリケーションツールのうちの少なくとも一つが、カスタマイズされた対話型作業領域内からの該一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の非ビデオゲームベースの情報のための該カスタマイズされた対話型作業領域を提供する工程。
[本発明1026]
獲得する工程が、作業領域管理処理システムにおいて少なくとも一つの情報ストリームを獲得する工程をさらに含み、提供する工程が、獲得された該少なくとも一つの情報ストリームにさらに基づいて、カスタマイズされた対話型作業領域を提供する工程をさらに含む、本発明1025の媒体。
[本発明1027]
作業領域管理処理システムにおいて少なくとも一つの情報ストリームを獲得する工程が、コンピューティングシステムと関連付けられたユーザプロフィールの記憶に基づいて前記少なくとも一つの情報ストリームを獲得する工程をさらに含む、本発明1026の媒体。
[本発明1028]
獲得する工程が、作業領域管理処理システムにおいて少なくとも一つのリアルタイム通信システムの選択を獲得する工程をさらに含み、提供する工程が、獲得された該少なくとも一つのリアルタイム通信システムの該選択にさらに基づいて、カスタマイズされた対話型作業領域を提供する工程をさらに含む、本発明1025の媒体。
[本発明1029]
作業領域管理処理システムにおいて、選択してデフォルトの対話型作業領域に追加するための一つまたは複数の圧縮情報オブジェクトを求める検索の結果を獲得する工程をさらに含む、本発明1025の媒体。
[本発明1030]
一つまたは複数の圧縮情報オブジェクトを求める検索が、一つまたは複数の情報オブジェクトカテゴリのうちの少なくとも一つの選択に基づくものである、本発明1029の媒体。
[本発明1031]
作業領域管理処理システムを用いて、一つまたは複数の圧縮情報オブジェクトのうちの少なくとも一つを生成する工程;および
コンピューティングシステムが選択してデフォルトの対話型作業領域に追加するために、生成された前記一つまたは複数の圧縮情報オブジェクトのうちの前記少なくとも一つを提供する工程
をさらに含む、本発明1025の媒体。
[本発明1032]
一つまたは複数の圧縮情報オブジェクトのうちの一つに対する複数の動作のうちの一つを獲得し、実行する工程;および
カスタマイズされた対話型作業領域において、前記一つまたは複数の圧縮情報オブジェクトのうちの前記一つに対する前記複数の動作のうちの獲得された前記一つを実行する前記工程の結果を提供する工程
をさらに含む、本発明1025の方法。
[本発明1033]
複数の動作が少なくとも、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動し、ドラッグすること、および前記カスタマイズされた対話型作業領域内の前記一つまたは複数の圧縮情報オブジェクトのうちの前記一つからの一つまたは複数のリストのうちの少なくとも一つを検査することを含む、本発明1032の媒体。
[本発明1034]
作業領域管理処理システムにおいて、複数の選択された動作のうちの獲得された一つを実行する工程が、一つまたは複数の圧縮情報オブジェクトのうちの選択された一つにアプリケーションツールを適用する工程、およびカスタマイズされた対話型作業領域において該アプリケーションツールを適用する該工程の結果を提供する工程をさらに含む、本発明1032の媒体。
[本発明1035]
アプリケーションツールを適用する工程の結果を提供する工程が、カスタマイズされた対話型作業領域において結果を情報オーバーレイとして提供する工程をさらに含む、本発明1034の媒体。
[本発明1036]
一つまたは複数の圧縮情報オブジェクトのうちの選択された一つにアプリケーションツールを適用する工程が、
作業領域管理処理システムにおいて、前記一つまたは複数の圧縮情報オブジェクトのうちの少なくとも一つの少なくとも一つの局面の成績を決定する工程;および
コンピューティングシステムにおいて、カスタマイズされた対話型作業領域内の前記一つまたは複数の圧縮情報オブジェクトのうちの前記少なくとも一つに前記決定された成績を表示する工程
をさらに含む、本発明1034の媒体。
[本発明1037]
一つまたは複数の圧縮情報オブジェクトのうちの選択された一つにアプリケーションツールを適用する工程が、
作業領域管理処理システムにおいて、スナップショットビューへと拡大されているカスタマイズされた対話型作業領域内の前記一つまたは複数の圧縮情報オブジェクトのうちの少なくとも一つの少なくとも一つの局面の成績を決定する工程;および
コンピューティングシステムにおいて、前記カスタマイズされた対話型作業領域内の前記スナップショットビューに、前記一つまたは複数の圧縮情報オブジェクトのうちの前記少なくとも一つの前記決定された成績を表示する工程
をさらに含む、本発明1034の媒体。
[本発明1038]
獲得された動作を実行する工程が、選択された一つまたは複数の圧縮情報オブジェクトおよび選択された一つまたは複数のアプリケーションツールと共に、カスタマイズされた対話型作業領域において存続しつつ、通信のためにリアルタイム通信システムを確定する工程を含む、本発明1032の媒体。
[本発明1039]
カスタマイズされた対話型作業領域を記憶する工程をさらに含む、本発明1025の媒体。
[本発明1040]
コンピューティングシステムにおいて、一つまたは複数のさらに別のカスタマイズされた対話型作業領域を提供する工程をさらに含む、本発明1039の媒体。
[本発明1041]
カスタマイズされた対話型作業領域をデフォルトの対話型作業領域にリセットする工程をさらに含む、本発明1025の媒体。
[本発明1042]
一つまたは複数の圧縮情報オブジェクトが、金融情報、イベント情報、ニュース情報、製品情報および個人情報のうちの少なくとも一つを含む、本発明1025の媒体。
[本発明1043]
提供されたユーザプロフィール情報に基づき、作業領域管理処理システムにおいて、カスタマイズされた対話型作業領域と関連付けられたユーザプロフィールを生成し、記憶する工程をさらに含む、本発明1025の媒体。
[本発明1044]
カスタマイズされた対話型作業領域に関連する一つまたは複数の動作を監視する工程;および
監視された前記一つまたは複数の動作に基づいてユーザプロフィールの記憶を補足する工程をさらに含む、本発明1043の媒体。
[本発明1045]
補足されたユーザプロフィールの記憶に基づき、カスタマイズされた対話型作業領域内の一つまたは複数の圧縮情報オブジェクトのうちの一つの少なくとも一つおよび少なくとも一つの他の表示要素を調整する工程をさらに含む、本発明1044の媒体。
[本発明1046]
一つまたは複数の訓練の完了を監視する工程;
前記一つまたは複数の訓練の前記監視された完了に基づいて習得レベル評価を決定する工程;および
ユーザプロフィールの記憶に前記決定された習得レベル評価を記憶する工程
をさらに含み、少なくとも前記ユーザプロフィールの記憶内の前記記憶された習得レベル評価が、カスタマイズされた対話型作業領域において表示される、本発明1043の媒体。
[本発明1047]
カスタマイズされた対話型作業領域内の圧縮情報オブジェクトのうちの一つまたは複数を利用し、一つまたは複数の投資取引の完了を実行する工程をさらに含む、本発明1025の媒体。
[本発明1048]
作業領域管理処理システムを用いて、カスタマイズされた対話型作業領域の一つまたは複数の部分をナビゲートして該部分と対話するための前記カスタマイズされた対話型作業領域におけるナビゲーションマップを提供する工程をさらに含む、本発明1025の媒体。
[本発明1049]
選択された一つまたは複数の圧縮情報オブジェクトおよび一つまたは複数のアプリケーションツールを獲得する作業領域管理処理システムにおけるカスタマイズシステムと、
コンピューティングシステムにおいて、前記選択された一つまたは複数の圧縮情報オブジェクトおよび一つまたは複数のアプリケーションツールが読み込まれたデフォルトの対話型作業領域に基づいて、前記一つまたは複数のアプリケーションツールのうちの少なくとも一つが、カスタマイズされた対話型作業領域内からの前記一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の該カスタマイズされた対話型作業領域を提供する前記作業領域管理処理システムにおける作業領域処理システムと
を含む、対話型情報作業領域提供システム。
[本発明1050]
カスタマイズシステムが少なくとも一つの情報ストリームを獲得し、作業領域処理システムがさらに、獲得された該少なくとも一つの情報ストリームに基づいて、カスタマイズされた対話型作業領域を提供する、本発明1049のシステム。
[本発明1051]
カスタマイズシステムが、コンピューティングシステムと関連付けられたユーザプロフィールの記憶に基づいて少なくとも一つの情報ストリームを獲得する、本発明1050のシステム。
[本発明1052]
カスタマイズシステムが少なくとも一つのリアルタイム通信システムの選択を獲得し、作業領域処理システムがさらに、獲得された該少なくとも一つのリアルタイム通信システムの選択に基づいて、カスタマイズされた対話型作業領域を提供する、本発明1049のシステム。
[本発明1053]
カスタマイズシステムが、選択してデフォルトの対話型作業領域に追加するための一つまたは複数の圧縮情報オブジェクトを求める検索の結果を獲得する、本発明1049のシステム。
[本発明1054]
カスタマイズシステムが、一つまたは複数の情報オブジェクトカテゴリのうちの少なくとも一つの選択に基づいて検索の結果を獲得する、本発明1053のシステム。
[本発明1055]
作業領域処理システムが、一つまたは複数の圧縮情報オブジェクトのうちの少なくとも一つを生成し、コンピューティングシステムが選択してデフォルトの対話型作業領域に追加するために、生成された前記一つまたは複数の圧縮情報オブジェクトのうちの該少なくとも一つを提供する、本発明1049のシステム。
[本発明1056]
作業領域処理システムが、一つまたは複数の圧縮情報オブジェクトのうちの一つに対する複数の動作のうちの一つの選択を獲得し、実行し、カスタマイズされた対話型作業領域において、該一つまたは複数の圧縮情報オブジェクトのうちの該一つに対する該複数の動作のうちの獲得された該一つの該実行の結果を提供する、本発明1049のシステム。
[本発明1057]
複数の動作が少なくとも、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動すること、および前記カスタマイズされた対話型作業領域内の前記一つまたは複数の圧縮情報オブジェクトのうちの前記一つからのリストを検査することを含む、本発明1056のシステム。
[本発明1058]
作業領域処理システムが、一つまたは複数の圧縮情報オブジェクトのうちの一つに対する複数の動作のうちの獲得された一つを実行し、前記一つまたは複数の圧縮情報オブジェクトのうちの選択された一つに対するアプリケーションツールの適用の実行をさらに含み、カスタマイズされた対話型作業領域において、前記一つまたは複数の圧縮情報オブジェクトのうちの該選択された一つに対する該アプリケーションツールの該適用の該実行の結果を提供する、本発明1056のシステム。
[本発明1059]
作業領域処理システムが、カスタマイズされた対話型作業領域において結果を情報オーバーレイとして提供する、本発明1058のシステム。
[本発明1060]
アプリケーションツールの適用を実行する作業領域処理システムがさらに、一つまたは複数の圧縮情報オブジェクトのうちの少なくとも一つの少なくとも一つの局面の成績を決定し、カスタマイズされた対話型作業領域内の前記一つまたは複数の圧縮情報オブジェクトのうちの前記少なくとも一つの該決定された成績を提供する、本発明1058のシステム。
[本発明1061]
アプリケーションツールの適用を実行する作業領域処理システムがさらに、スナップショットビューへと拡大されているカスタマイズされた対話型作業領域内の一つまたは複数の圧縮情報オブジェクトのうちの少なくとも一つの少なくとも一つの局面を決定し、前記カスタマイズされた対話型作業領域内の該スナップショットビューにおいて、前記一つまたは複数の圧縮情報オブジェクトのうちの該少なくとも一つの該決定された成績を提供する、本発明1058のシステム。
[本発明1062]
作業領域処理システムが、カスタマイズされた対話型作業領域において存続しつつリアルタイム通信システムの確定の選択を獲得し、実行する、本発明1056のシステム。
[本発明1063]
作業領域処理システムが、カスタマイズされた対話型作業領域を記憶する、本発明1049のシステム。
[本発明1064]
作業領域処理システムがさらに、コンピューティングシステムに一つまたは複数のさらに別のカスタマイズされた対話型作業領域を提供する、本発明1063のシステム。
[本発明1065]
作業領域処理システムが、カスタマイズされた対話型作業領域をデフォルトの対話型作業領域にリセットする、本発明1049のシステム。
[本発明1066]
一つまたは複数の圧縮情報オブジェクトが、金融情報、イベント情報、ニュース情報、製品情報および個人情報のうちの少なくとも一つを含む、本発明1049のシステム。
[本発明1067]
作業領域処理システムが、提供されたユーザプロフィール情報に基づいて、カスタマイズされた対話型作業領域と関連付けられたユーザプロフィールを生成し、記憶する、本発明1049のシステム。
[本発明1068]
作業領域処理システムが、カスタマイズされた対話型作業領域に関連する一つまたは複数の動作を監視し、監視された該一つまたは複数の動作に基づいてユーザプロフィールの記憶を補足する、本発明1067のシステム。
[本発明1069]
作業領域処理システムが、補足されたユーザプロフィールの記憶に基づき、カスタマイズされた対話型作業領域内の一つまたは複数の圧縮情報オブジェクトのうちの一つの少なくとも一つおよび少なくとも一つの他の表示要素を調整する、本発明1068のシステム。
[本発明1070]
作業領域処理システムが、一つまたは複数の訓練の完了を監視し、該一つまたは複数の訓練の該監視された完了に基づいて習得レベル評価を決定し、ユーザプロフィールの記憶に該決定された習得レベル評価を記憶し、少なくとも前記ユーザプロフィールの記憶内の該記憶された習得レベル評価が、カスタマイズされた対話型作業領域における表示のために提供される、本発明1067のシステム。
[本発明1071]
作業領域処理システムが、カスタマイズされた対話型作業領域内の圧縮情報オブジェクトのうちの一つまたは複数を利用して一つまたは複数の投資取引を完了する、本発明1049のシステム。
[本発明1072]
作業領域処理システムが、カスタマイズされた対話型作業領域の一つまたは複数の部分をナビゲートして該部分と対話するために前記カスタマイズされた対話型作業領域におけるナビゲーションマップを提供する、本発明1049のシステム。
[本発明1073]
情報と対話し、情報を操作するための方法であって、以下の工程を含む方法:
ビデオゲーム表示グラフィカル・ユーザ・インターフェース形式の非ビデオゲームベースの情報のための少なくとも一つのカスタマイズされた対話型作業領域を表示する工程;
前記カスタマイズされた対話型作業領域において一つまたは複数の情報オブジェクトを提供する工程;
アプリケーションツールおよび特徴操作のうちの少なくとも一つによって前記情報オブジェクトのうちの少なくとも一つに対して少なくとも一つの動作を実行する工程;および
前記情報オブジェクトのうちの前記少なくとも一つに対して行われた前記動作に基づいて前記カスタマイズされた対話型作業領域を表示する工程。
[本発明1074]
対話型作業領域において一つまたは複数のアプリケーションツールを提供する工程;
前記アプリケーションツールのうちの一つを用いて情報オブジェクトのうちの少なくとも一つに対して動作を実行する工程;および
カスタマイズされた対話型作業領域において前記情報オブジェクトに対して実行された前記少なくとも一つの動作および前記情報オブジェクトの分析の結果を表示する工程
をさらに含む、本発明1073の方法。
[本発明1075]
カスタマイズされた対話型作業領域のうちの少なくとも一つにおいて少なくとも一つの情報ストリームを提供する工程をさらに含む、本発明1073の方法。
[本発明1076]
一つまたは複数のさらに別のカスタマイズされた対話型作業領域を作成する工程をさらに含む、本発明1073の方法。
[本発明1077]
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、本発明1073の方法。
[本発明1078]
一つまたは複数の情報オブジェクトが、構造化形式または非構造化形式としての、一般情報、金融情報、イベント情報、ニュース情報、マーケティング情報、製品情報および個人情報のうちの少なくとも一つを含む、本発明1073の方法。
[本発明1079]
少なくとも一つのプロセッサによって実行されると該プロセッサに以下を含む工程を実行させる機械実行可能コードを含む、情報と対話し、情報を操作するための方法のための命令が記憶されているコンピュータ可読媒体:
ビデオゲーム表示グラフィカル・ユーザ・インターフェース形式の非ビデオゲームベースの情報のための少なくとも一つのカスタマイズ可能な対話型作業領域を表示する工程;
前記カスタマイズされた対話型作業領域において一つまたは複数の情報オブジェクトを提供する工程;
アプリケーションツールおよび特徴操作のうちの少なくとも一つによって前記情報オブジェクトのうちの少なくとも一つに対して少なくとも一つの動作を実行する工程;および
前記情報オブジェクトのうちの前記少なくとも一つに対して行われた前記動作に基づいて、前記カスタマイズされた対話型作業領域を表示する工程。
[本発明1080]
対話型作業領域において一つまたは複数のアプリケーションツールを提供する工程;
前記アプリケーションツールのうちの一つを用いて情報オブジェクトのうちの少なくとも一つに対して動作を実行する工程;および
カスタマイズされた対話型作業領域において前記情報オブジェクトに対して実行された前記少なくとも一つの動作の結果を表示する工程
をさらに含む、本発明1079の媒体。
[本発明1081]
カスタマイズされた対話型作業領域のうちの少なくとも一つにおいて少なくとも一つの情報ストリームを提供する工程をさらに含む、本発明1079の媒体。
[本発明1082]
一つまたは複数のさらに別のカスタマイズされた対話型作業領域を作成する工程をさらに含む、本発明1079の方法。
[本発明1083]
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、本発明1079の方法。
[本発明1084]
一つまたは複数の情報オブジェクトが、構造化形式または非構造化形式としての、一般情報、金融情報、イベント情報、ニュース情報、マーケティング情報、製品情報および個人情報のうちの少なくとも一つを含む、本発明1079の方法。
[本発明1085]
ビデオゲーム表示グラフィカル・ユーザ・インターフェース形式の非ビデオゲームベースの情報のためのカスタマイズ可能な対話型作業領域において一つまたは複数の選択された情報オブジェクトを表示するコンピューティングシステムにおける表示システムと、
アプリケーションツールおよび特徴操作のうちの少なくとも一つによって前記情報オブジェクトのうちの少なくとも一つに対して少なくとも一つの動作を実行する前記コンピューティングシステムにおける対話処理システムと
を含み、前記表示システムが、前記情報オブジェクトのうちの前記少なくとも一つに対して行われた前記動作に基づいて、前記カスタマイズ可能な対話型作業領域を表示する、情報と対話し、情報を操作するシステム。
[本発明1086]
対話処理システムが、対話型作業領域において一つまたは複数のアプリケーションツールを提供し、該アプリケーションツールのうちの一つを用いて情報オブジェクトのうちの少なくとも一つに対して動作を実行し、表示システムが、カスタマイズされた対話型作業領域において情報オブジェクトに対して行われた動作の結果を表示する、本発明1085のシステム。
[本発明1087]
対話処理システムが、カスタマイズされた対話型作業領域のうちの少なくとも一つにおいて少なくとも一つの情報ストリームを提供する、本発明1085のシステム。
[本発明1088]
表示システムが、一つまたは複数のさらに別のカスタマイズされた対話型作業領域を表示する、本発明1085のシステム。
[本発明1089]
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、本発明1085のシステム。
[本発明1090]
一つまたは複数の情報オブジェクトが、構造化形式または非構造化形式としての、一般情報、金融情報、イベント情報、ニュース情報、マーケティング情報、製品情報および個人情報のうちの少なくとも一つを含む、本発明1085のシステム。